(57)【要約】【課題】複数の室外ユニットに、複数台の室内ユニットを接続してなる多室形空気調和装置において、オートリスタート機能のＯＮ／ＯＦＦ選択は通電がなされていない間に操作を行うため、通信手段で一括して設定することができず、設置後に設定を変更することになった場合、各室内機が設置された居室の使用者がオートリスタート設定のＯＮ／ＯＦＦ選択を個々に設定することになり、室内機全てにこの作業が必要となるという課題があった。【解決手段】オートリスタート設定スイッチを前記室外機に備え、前記スイッチを設定することにより、全接続室内機に対し室外機より設定することができる。【選択図】図７
2008215768.tif 000002
【特許請求の範囲】
【請求項１】
１台の室外機と、前記室外機に配管接続された複数台の室内機と、電源が停電から復電した際に記憶装置に記憶された内容に基づいて自動的に運転を再開するオートリスタート機能を備えた多室形空気調和装置において、オートリスタート設定手段を前記室外機に備え、前記オートリスタート設定手段の設定に応じて、全接続室内機に対し室外機より設定可能な機能を有することを特徴とする多室形空気調和機。
【請求項２】
複数台の室外機と、各室外機に対して配管接続された複数台の室内機と、全ての室内機と室外機を通信させる手段と、オートリスタート設定手段を前記室外機に各々備えた多室形空気調和装置において、各室内機がどの室外機に配管接続されているかを認識させる手段を備え、オートリスタート機能を設定した室外機に配管接続されている室内機に対してのみ設定可能な機能を有することを特徴とする多室形空気調和機。
【請求項３】
複数台の室外機と、各室外機に対して配管接続された複数台の室内機と、全ての室内機と室外機を通信させる手段と、オートリスタート設定手段を前記室外機に各々備えた多室形空気調和装置において、各室内機がどの室外機に配管接続されているかを認識させる手段と、複数台の室外機の中で親機となる室外機を設定する手段を備え、オートリスタート機能を設定した室外機が親機であった場合、その親機である室外機で設定したオートリスタート設定を最優先とし、配管接続に拘らず前記通信手段で接続された全室内機に対して設定可能な機能を有することを特徴とする請求項２に記載の多室形空気調和機。
【請求項４】
複数台の室外機と、各室外機に対して配管接続された複数台の室内機と、全ての室内機と室外機を通信させる手段と、オートリスタート設定手段を前記室外機に各々備えた多室形空気調和装置において、各室内機がどの室外機に配管接続されているかを認識させる手段と、複数台の室外機の中で親機となる室外機を設定する手段と、親機となる室外機を設定した時間を記憶する手段とを備え、接続された室外機のうち、親機となる設定が複数台存在する設定になっていれば、その設定した時間で最も新しい設定を行った室外機のオートリスタート設定を最優先とし、配管接続に拘らず前記通信手段で接続された全室内機に対して設定可能な機能を有することを特徴とする請求項２に記載の多室形空気調和機。
【請求項５】
各室内機で電源が停電から復電した際に記憶装置に記憶された設定内容で前記室内機を最優先に動作させる手段を備え、室外機で設定変更が行われた場合でも、その設定を無視し、室内機の設定内容を保持することを特徴とする請求項１〜４に記載の多室形空気調和機。
【発明の詳細な説明】
【技術分野】
【０００１】
本発明は、停電から復電後に記憶装置に記憶された内容に基づいて自動的に運転を再開するオートリスタート機能を有する多室形空気調和機に関し、さらに詳しくはオートリスタート機能を設定するための制御に関するものである。
【背景技術】
【０００２】
従来、オートリスタート機能を有する空気調和機において、室内機が停電する直前の運転状態を記憶する手段は室内機自身のメモリ部分、あるいは室内機に接続されているリモートコントローラー（以下、リモコンと略す）に装備されており、停電から復電後には記憶装置に記憶された内容に基づいて室外機に信号を送信し、室外機を指示した運転状態になるように制御している。
【０００３】
このような空気調和機では、基本機能として常時オートリスタート機能が働くようにしているものもあるが、空気調和機本体にオートリスタート機能をＯＮ／ＯＦＦさせるスイッチが設けてあるものもある。例えば、停電中に外出するような場合、これらのスイッチを操作して留守中に復電した場合においても運転が再開されないようにすることができる。オートリスタート機能をＯＮ／ＯＦＦさせるスイッチは使用者の利便性をふまえ、室内機に接続されているリモコン等により個々に設定できるようにしている（例えば、特許文献１参照）。
【特許文献１】特開２００４−３１７０５２号公報
【発明の開示】
【発明が解決しようとする課題】
【０００４】
しかしながら、前記従来の構成では、１台の室外機と、前記室外機に配管接続された複数台の室内機を有する多室形空気調和機においては、オートリスタート機能のＯＮ／ＯＦＦ選択は通電がなされていない間に操作を行うため、通信手段で一括して設定することができず、設置後に設定を変更することになった場合、各室内機が設置された居室の使用者がオートリスタート設定のＯＮ／ＯＦＦ選択を個々に設定することになり、さらに、例えば使用者が特定されない店舗などに各室内機が設置されており管理者が一括して設定を変更したい場合には室内機全てにこの作業が必要となり、面倒な作業となっていた。
【課題を解決するための手段】
【０００５】
前記従来の課題を解決するために本発明は、１台の室外機と、前記室外機に配管接続された複数台の室内機と、電源が停電から復電した際に記憶装置に記憶された内容に基づいて自動的に運転を再開するオートリスタート機能を備えた多室形空気調和装置において、オートリスタート設定スイッチを前記室外機に備え、前記スイッチを設定することにより、全接続室内機に対し室外機より設定可能な機能を有するものである。
【０００６】
また、複数台の室外機と、各室外機に対して配管接続された複数台の室内機と、全ての室内機と室外機を通信させる手段と、オートリスタート設定スイッチを前記室外機に各々備えた多室形空気調和装置において、各室内機がどの室外機に配管接続されているかを認識させる手段を備え、オートリスタート機能を設定した室外機に配管接続されている室内機に対してのみ設定可能な機能を有するものである。
【０００７】
また、各室内機で電源が停電から復電した際に記憶装置に記憶された設定内容で前記室内機を最優先に動作させる手段を備え、室外機で設定変更が行われた場合でも、その設定を無視し、室内機の設定内容を保持するものである。
【発明の効果】
【０００８】
本発明は、オートリスタート機能の設定自由度を高め、簡便な設定方法にすることにより、設置作業者あるいは空気調和機管理者の作業時間短縮が図れるとともに、使用者に操作性が高く、快適な空調を行うことができる。
【０００９】
また、複数台の室外機と各室外機に接続された室内機が多く、通信手段は全室内機に対して接続されていて、システムとして複雑な多室形空気調和機においても、オートリスタート機能の設定をする室外機に配管接続されている室内機に対象を明確に絞って設定することができ、設定の変更を簡単化することができる。
【００１０】
また、従来、室内機で設定していたオートリスタート機能を室外機で設定できるので、例えば、１室だけはオートリスタート機能が不要なコンピュータールームや厨房などの非居住空間に設置されている場合においても、室内機側で優先的に設定を決めることができるので、従来のオートリスタート機能を設定する際の利便性を損なうことなく、簡単に設定することができる。
【発明を実施するための最良の形態】
【００１１】
以下、本発明の実施の形態について図面を参照して説明する。本発明の多室形空気調和機は、室内機に室内熱交換器と、室外機に圧縮機と、冷媒の循環方向を切替える四方弁と室外熱交換器等を具備し、一台の前記室外機に対して、複数台の前記室内機を接続配管で接続して冷凍サイクルを形成し、前記冷凍サイクルに冷媒を循環させて居室の冷房あるいは暖房を実施するものである。また、設置されている全室外機と全室内機に対して接続線で接続し、複数の室外機を同時に制御することもできるようにしたものである。
【００１２】
（実施の形態１）
図１は、本発明の第１の実施の形態におけるブロック図である。室内機Ａには、制御手段１ａ、通信手段２ａおよび記憶手段３ａが、室内機Ｂには、制御手段１ｂ、通信手段２ｂおよび記憶手段３ｂが、また、室外機Ｃには制御手段１ｃ、通信手段２ｃ及びオートリスタート設定スイッチ４ｃが設けられている。そして室内機Ａの通信手段２ａと室外機Ｃの通信手段２ｃ、室内機Ｂの通信手段２ｂと前記室外機Ｃの通信手段２ｃは接続線９で接続されている。また、５ａは室内機Ａの運転停止や室温設定等の運転操作に用いるリモコン、５ｂは室内機Ｂの運転停止や室温設定等の運転操作に用いるリモコンである。そして、操作性の高い空調を行うための自動運転制御と、オートリスタート機能を備えている。
【００１３】
前記オートリスタート制御は、前記リモコン５ａ、５ｂに設けられた運転釦（図示せず）をＯＮにした時、居室の室温（前記室内機Ａ、Ｂの空気吸込温度）が前記リモコン５ａ、５ｂで設定された室温設定温度よりも高ければ冷房モードが、逆に前記リモコン５ａ、５ｂで設定された室温設定温度よりも低ければ、暖房モードが自動的に選択されて運転が開始されるようになっている。また、前記オートリスタート制御は、常に現在の運転状況を記憶装置３ａ、３ｂ（例えば不揮発性の記憶装置であるＥＥＰＲＯＭ等）に記憶させておき、停電発生時等の復電時には、前記記憶装置に記憶された運転内容に基づいて自動的に運転を再開するようになっている。
【００１４】
図２は、本発明の第１の実施の形態におけるフローチャートを示すものである。電源投入後、室外機Ｃに搭載されたオートリスタート設定スイッチ４ｃのＯＮ／ＯＦＦ状態を制御手段１ｃで判断する（ステップ１）。ＯＮの場合はオートリスタート設定ＯＮの信号を通信手段２ｃで接続されている全室内機に送信し（ステップ２）、ＯＦＦの場合はＯＦＦの信号を送信する（ステップ３）。個々室内機は室外機からの信号によりオートリスタートＯＮ／ＯＦＦ設定を行い、記憶手段である３ａ、３ｂに記憶する（ステップ３）。
【００１５】
これにより、各室内機のオートリスタート設定は完了し、復電時には記憶手段３ａ、３ｂに記憶された運転内容に基づいて自動的に運転を再開することとなり、設置作業者あるいは空気調和機管理者の作業時間短縮が図れるとともに、使用者に操作性が高く、快適な空調を行うことができる。
【００１６】
（実施の形態２）
図３は、本発明の第２の実施の形態におけるブロック図である。すでに上述した内容については割愛して説明する。図３において、室内機Ａ、室内機Ｂにはそれぞれ各室内機がどの室外機に配管接続されているかを認識させる手段である室外アドレススイッチ７ａ、７ｂが搭載されている。また、配管接続は別の系統となる室外機Ｄが接続されており、接続線４は共通に接続され、制御できるようにしている。
【００１７】
図４は、本発明の第２の実施の形態におけるフローチャートを示すものである。電源投入時、予め各室内機で設定している室外アドレススイッチ７ａ、７ｂの設定を各室内機の記憶手段３ａ、３ｂから読み込んで各室内機がどの室外機に配管接続されているかを設定するためのアドレス登録を行う（ステップ１）。次に室外機に搭載されたオートリスタート設定スイッチのＯＮ／ＯＦＦ状態を制御手段１ｃで判断する（ステップ２）。次に各室外機に接続されている室内機を判別するため、例えば室外機Ｃでオートリスタート機能を設定した場合、全室内機に対して室外アドレススイッチがＣに設定されている室内機に対して、ＯＮの場合はオートリスタート設定ＯＮの信号を送信する（ステップ３）。ＯＦＦの場合はＯＦＦの信号を送信する（ステップ４）。室外アドレススイッチがＣに設定されていない室内機Ｄに対しては室外機Ｃからは信号を送信しない。個々室内機は室外機からの信号によりオートリスタートＯＮ／ＯＦＦ設定を行い、記憶手段である３ａ、３ｂに記憶する（ステップ５）。
【００１８】
これにより、各室内機のオートリスタート設定は完了し、停電時には記憶手段３ａ、３ｂに記憶された運転内容に基づいて自動的に運転を再開することができることとなり、複数台の室外機と各室外機に接続された室内機が多く、通信手段は全室内機に対して接続されていて、システムとして複雑な多室形空気調和機においても、オートリスタート機能の設定をする室外機に配管接続されている室内機に対象を明確に絞って設定することができ、設定の変更を簡単化することができる。
【００１９】
（実施の形態３）
図５は、本発明の第３の実施の形態におけるフローチャートを示すものである。電源投入時、予め各室内機で設定している室外アドレススイッチの設定を各室内機の記憶手段３ａ、３ｂから読み込んで各室内機のアドレス登録を行う（ステップ１）。次に、予め各々の室外機は親機としての設定がなされているかどうかを判定する（ステップ２）。ここでは室外機Ｃが親機に設定されているものとする。室外機Ｃに搭載されたオートリスタート設定スイッチのＯＮ／ＯＦＦ状態を制御手段２Ｃで判断する（ステップ６）。そして親機として設定された室外機Ｃのオートリスタート設定状態が、ＯＮであれば配管接続が他系統であっても全室内機に対してオートリスタート設定ＯＮの信号を送信する（ステップ７）。ＯＦＦの場合は全室内機に対してＯＦＦの信号を送信する（ステップ８）。親機としての設定がどの室外機にもなされていない場合、通常の室外アドレス設定に従い、実施の形態２と同様にステップ３〜５を行い、その室外アドレスに配管接続された全室内機に対してオートリスタート設定ＯＮの信号を送信する。個々室内機は室外機からの信号によりオートリスタートＯＮ／ＯＦＦ設定を行い、記憶手段である３ａ、３ｂに記憶する（ステップ９）。
【００２０】
これによれば、システムとして複雑な多室形空気調和機においても、１台の室外機を親
機として設定することにより、１回の操作で全室内機に対してオートリスタート設定を行うことができ、設定の変更を簡単化することができる。
【００２１】
（実施の形態４）
図６は、本発明の第４の実施の形態におけるブロック図である。室外機Ｃ、Ｄには親機となる室外機を設定した時間を記憶する手段８ｃ、８ｄを設けている。
【００２２】
図７は、本発明の第４の実施の形態におけるフローチャートを示すものである。電源投入時、予め各室内機で設定している室外アドレススイッチの設定を各室内機の記憶手段３ａ、３ｂから読み込んで各室内機のアドレス登録を行う（ステップ１）。次に、予め各々の室外機は親機としての設定がなされているかどうかを判定する（ステップ２）。ここでは室外機Ｃ、室外機Ｄが親機に設定されており、室外機ＣがＤよりも後に親機の設定を行ったものとする。室外機Ｃは時間を記憶する手段８ｃから読み出した親機登録時間を通信手段１Ｃを介して他室外機に送信する。室外機Ｄからも同様に送信され、室外機Ｃはこれを受信する。この時、室外機Ｃは室外機Ｄの親機登録時間と自身の登録時間を比較する。室外機Ｃの方は自身が最新の登録機であるため、自身を親機として記憶する。（ステップ６）。室外機Ｄも比較を行うが、登録時間が古いため、親機としての記憶は行わない。親機として記憶した室外機Ｃは室外機Ｃに搭載されたオートリスタート設定スイッチのＯＮ／ＯＦＦ状態を制御手段２Ｃで判断する（ステップ７）。以下、実施の形態３と同様に親機である室外機Ｃの設定を接続された全室内機へ送信し、室内機はこれを記憶する（ステップ８〜１０）。
【００２３】
これによれば、システムとして複雑な多室形空気調和機において、システム管理者や施工業者が替わり、前回の親機がどの室外機かわからなくなった場合などにおいても、後からどの室外機でも最優先にさせることができ、簡単にオートリスタートの設定をすることができる。
【００２４】
（実施の形態５）
図８は、本発明の第５の実施の形態におけるフローチャートを示すものである。電源投入時、室内機は予め各室内機で室外アドレスを設定できるとともに自己の室内アドレスも同時に室外機に対して送信するが、この時、特定の室内アドレススイッチに室内機を設定しておけば、室外機からオートリスタート設定ＯＦＦの信号が送信された場合（ステップ１）においてもこれを無視し、オートリスタート設定を強制的にＯＮ状態のままにしておく。
【００２５】
これによれば、１室だけはオートリスタート機能が不要なコンピュータールームや厨房などの非居住空間に設置されている場合においても、室内機側で優先的に設定を簡単にすることができる。また、オートリスタート設定を強制的にＯＮ状態のままにする手段の例として特定のアドレスに設定した場合を挙げたが、室内機にオートリスタート設定を強制的にＯＮ状態のままにするためのスイッチを設けてもよい。
【図面の簡単な説明】
【００２６】
【図１】本発明の第１の実施の形態におけるブロック図
【図２】本発明の第１の実施の形態におけるフローチャート
【図３】本発明の第２の実施の形態におけるブロック図
【図４】本発明の第２の実施の形態におけるフローチャート
【図５】本発明の第３の実施の形態におけるフローチャート
【図６】本発明の第４の実施の形態におけるブロック図
【図７】本発明の第４の実施の形態におけるフローチャート
【図８】本発明の第５の実施の形態におけるフローチャート
【符号の説明】
【００２７】
Ａ、Ｂ、Ｅ  室内機
Ｃ、Ｄ  室外機
１ａ、１ｂ、１ｃ  制御手段
２ａ、２ｂ、２ｃ  通信手段
３ａ、３ｂ、３ｃ  記憶手段
４  接続線
５ａ、５ｂ  リモコン
６  接続配管
７ａ、７ｂ  室外アドレススイッチ
８ｃ、８ｄ  時間記憶手段
【図１】
2008215768.tif 000003
【図２】
2008215768.tif 000004
【図３】
2008215768.tif 000005
【図４】
2008215768.tif 000006
【図５】
2008215768.tif 000007
【図６】
2008215768.tif 000008
【図７】
2008215768.tif 000009
【図８】
2008215768.tif 000010